(57)【要約】【課題】ロービーム照射とハイビーム照射とを選択的に行い得るように構成された車両用灯具において、コンパクトな構成によりハイビーム用の付加配光パターンを複数種類の照射パターンで形成可能とする。【解決手段】投影レンズ１２に複数の発光ユニット３０からの光を入射させることにより、ハイビーム用の付加配光パターンを形成する構成とする。その際、複数の発光ユニット３０は、投影レンズ１２の後側焦点Ｆよりも下方において左右方向に並列に配置された状態で個別に点灯し得る構成とする。そして、複数の発光ユニット３０を同時点灯させて付加配光パターンを形成することにより、ハイビーム用配光パターンを形成するようにする。また、複数の発光ユニット３０のうちの一部を選択的に点灯させることにより、上記付加配光パターンの一部が欠けた付加配光パターンを形成して、中間的配光パターンを形成するようにする。【選択図】図４
2020057631.tif 000002
【特許請求の範囲】
【請求項１】
ロービーム照射とハイビーム照射とを選択的に行い得るように構成された車両用灯具において、
投影レンズとこの投影レンズの後方に配置された光源とを備え、上記光源からの出射光を上記投影レンズを介して前方へ向けて照射するように構成されており、
上記投影レンズの後方に、ロービーム用配光パターンを形成するために上記投影レンズへ向かう上記光源からの光の一部を遮光するシェードと、上記ロービーム用配光パターンに対してハイビーム用の付加配光パターンを付加的に形成するために上記投影レンズに光を入射させる複数の発光ユニットとが配置されており、
上記複数の発光ユニットは、上記投影レンズの後側焦点よりも下方において左右方向に並列に配置されており、個別に点灯し得るように構成されており、
上記各発光ユニットは、発光素子と、この発光素子からの出射光を上記投影レンズへ向けて反射させるリフレクタとを備えており、
上記各発光素子は、上記シェードの先端位置から斜め下後方に離れた位置において発光面を斜め上前方へ向けるようにして配置されており、
上記各リフレクタは、上記投影レンズの後側焦点面の近傍から斜め下後方へ延びる第１反射面と、上記各発光素子からの出射光を上記第１反射面へ向けて反射させる第２反射面とを備えており、
上記各第２反射面は、上記各発光素子を下方側から覆うようにして配置されており、平面状に形成されている、ことを特徴とする車両用灯具。
【請求項２】
上記シェードと一体で形成されたベース部材を備えており、
上記ベース部材に、上記複数の発光ユニットに跨るようにして横長に形成されたカバー部材に取り付けられており、
上記各第１反射面は、上記ベース部材の一部として構成されており、
上記各第２反射面は、上記カバー部材の一部として構成されている、ことを特徴とする請求項１記載の車両用灯具。
【請求項３】
上記カバー部材における左右両端位置および上記各第２反射面相互間の境界位置に、鉛直方向に延びる隔壁部が形成されている、ことを特徴とする請求項２記載の車両用灯具。
【請求項４】
上記各隔壁部は、側面が反射面として形成されている、ことを特徴とする請求項３記載の車両用灯具。
【請求項５】
上記各隔壁部は、上記各第１反射面まで延びるように形成されている、ことを特徴とする請求項３または４記載の車両用灯具。
【請求項６】
上記各第２反射面および上記各隔壁部の前端位置は、上記投影レンズの後側焦点面よりも後方に位置している、ことを特徴とする請求項３〜５いずれか記載の車両用灯具。
【発明の詳細な説明】
【技術分野】
【０００１】
本願発明は、プロジェクタ型の車両用灯具に関するものである。
【背景技術】
【０００２】
従来より、投影レンズの後方に配置された光源からの光を投影レンズを介して前方へ向けて照射するように構成されたプロジェクタ型の車両用灯具が知られている。
【０００３】
「特許文献１」には、ロービーム用配光パターンに対してハイビーム用の付加配光パターンを付加的に形成するための灯具ユニットを備えた車両用灯具が記載されている。その際、上記灯具ユニットは、投影レンズの後側焦点面に沿って複数の発光素子が配置された構成となっており、これら複数の発光素子が個別に点灯することにより上記付加配光パターンの形状を適宜変化させ得る構成となっている。
【先行技術文献】
【特許文献】
【０００４】
【特許文献１】特開２０１１−２４９０８０号公報
【発明の概要】
【発明が解決しようとする課題】
【０００５】
上記「特許文献１」に記載された車両用灯具においては、上記灯具ユニットがロービーム用配光パターンを形成するための灯具ユニットとは別に配置された構成となっているので、灯具が大型化してしまう、という問題がある。
【０００６】
本願発明は、このような事情に鑑みてなされたものであって、ロービーム照射とハイビーム照射とを選択的に行い得るように構成された車両用灯具において、コンパクトな構成によりハイビーム用の付加配光パターンを複数種類の照射パターンで形成することができる車両用灯具を提供することを目的とするものである。
【課題を解決するための手段】
【０００７】
本願発明は、単一の投影レンズを用いたプロジェクタ型の光学系によりロービーム照射とハイビーム照射とを選択的に行う構成とした上で、その具体的構成に工夫を施すことにより、上記目的達成を図るようにしたものである。
【０００８】
すなわち、本願発明に係る車両用灯具は、
ロービーム照射とハイビーム照射とを選択的に行い得るように構成された車両用灯具において、
投影レンズとこの投影レンズの後方に配置された光源とを備え、上記光源からの出射光を上記投影レンズを介して前方へ向けて照射するように構成されており、
上記投影レンズの後方に、ロービーム用配光パターンを形成するために上記投影レンズへ向かう上記光源からの光の一部を遮光するシェードと、上記ロービーム用配光パターンに対してハイビーム用の付加配光パターンを付加的に形成するために上記投影レンズに光を入射させる複数の発光ユニットとが配置されており、
上記複数の発光ユニットは、上記投影レンズの後側焦点よりも下方において左右方向に並列に配置されており、個別に点灯し得るように構成されており、
上記各発光ユニットは、発光素子と、この発光素子からの出射光を上記投影レンズへ向けて反射させるリフレクタとを備えており、
上記各発光素子は、上記シェードの先端位置から斜め下後方に離れた位置において発光面を斜め上前方へ向けるようにして配置されており、
上記各リフレクタは、上記投影レンズの後側焦点面の近傍から斜め下後方へ延びる第１反射面と、上記各発光素子からの出射光を上記第１反射面へ向けて反射させる第２反射面とを備えており、
上記各第２反射面は、上記各発光素子を下方側から覆うようにして配置されており、平面状に形成されている、ことを特徴とするものである。
【０００９】
本願発明に係る車両用灯具は、光源からの光を直射光として投影レンズに入射させる構成となっていてもよいし、光源からの光をリフレクタで反射させて投影レンズに入射させる構成となっていてもよい。
【００１０】
上記「光源」の種類は特に限定されるものではなく、例えば、発光ダイオードやレーザダイオード等の発光素子あるいは光源バルブ等が採用可能である。
【００１１】
上記「発光ユニット」は、投影レンズの後側焦点よりも下方において左右方向に並列に配置された状態で個別に点灯し得る構成となっていれば、その具体的な構成は特に限定されるものではなく、例えば光源とリフレクタとを備えた構成や光源とレンズとを備えた構成等が採用可能である。
【００１２】
上記「発光ユニット」が「投影レンズの後側焦点よりも下方」に配置されているとは、該「発光ユニット」からの出射光が投影レンズの後側焦点よりも下方において該投影レンズの後側焦点面を通過するように配置されていることを意味するものである。
【発明の効果】
【００１３】
上記構成に示すように、本願発明に係る車両用灯具は、ロービーム照射とハイビーム照射とを選択的に行うプロジェクタ型の灯具として構成されており、その投影レンズに複数の発光ユニットからの光を入射させることによりハイビーム用の付加配光パターンを形成する構成となっているが、その際、複数の発光ユニットは、投影レンズの後側焦点よりも下方において左右方向に並列に配置された状態で個別に点灯し得る構成となっているので、次のような作用効果を得ることができる。
【００１４】
すなわち、複数の発光ユニットを同時点灯させて付加配光パターンを形成することにより、ハイビーム用配光パターンを形成することができる。また、複数の発光ユニットのうちの一部を選択的に点灯させることにより、上記付加配光パターンの一部が欠けた付加配光パターンを形成することができ、これによりロービーム用配光パターンとハイビーム用配光パターンとの中間に位置する形状の中間的配光パターンを形成することができる。
【００１５】
しかもこれを、単一の投影レンズを用いたプロジェクタ型の光学系により実現することができる。
【００１６】
このように本願発明によれば、ロービーム照射とハイビーム照射とを選択的に行い得るように構成された車両用灯具において、コンパクトな構成によりハイビーム用の付加配光パターンを複数種類の照射パターンで形成することができる。
【００１７】
上記構成において、各発光ユニットの構成として、発光素子とその出射光を投影レンズへ向けて反射させるリフレクタとを備えた構成とすれば、各発光ユニットの構成を簡素なものとすることができる。
【００１８】
その際、リフレクタの構成として、投影レンズの後側焦点面の近傍から斜め下後方へ延びる第１反射面と、発光素子からの出射光を第１反射面へ向けて反射させる第２反射面とを備えた構成とすれば、発光素子からの出射光を効率良く投影レンズに入射させることができる。
【００１９】
この場合において、第１反射面が、その前端縁の位置をシェードの前端縁の位置と一致させるようにして形成された構成とすれば、ロービーム用配光パターンと付加配光パターンとがロービーム用配光パターンのカットオフラインの部分において途切れてしまうのを未然に防止することができる。
【００２０】
上記構成において、投影レンズの構成として、その上部領域の後側焦点が該上部領域以外の一般領域の後側焦点よりも下方に位置するように形成された構成とすれば、ロービーム用配光パターンと付加配光パターンとをロービーム用配光パターンのカットオフラインの部分において部分的に重複させることができ、これによりロービーム用配光パターンと付加配光パターンとの連続性を高めることができる。
【図面の簡単な説明】
【００２１】
【図１】本願発明の一実施形態に係る車両用灯具を示す側断面図
【図２】図１のII方向矢視図
【図３】図１のIII 部詳細図
【図４】上記車両用灯具の主要構成要素を示す斜視図
【図５】上記車両用灯具から前方へ向けて照射される光により灯具前方２５ｍの位置に配置された仮想鉛直スクリーン上に形成される配光パターンを透視的に示す図
【図６】上記実施形態の第１変形例に係る車両用灯具を示す、図１と同様の図
【図７】上記第１変形例の作用を示す、図５と同様の図
【図８】上記実施形態の第２変形例に係る車両用灯具の要部を示す、図３と同様の図
【図９】上記第２変形例の作用を示す、図５と同様の図
【図１０】上記実施形態の第３変形例に係る車両用灯具を示す、図１と同様の図
【図１１】図１０のXI部詳細図
【図１２】上記第３変形例の作用を示す、図５と同様の図
【図１３】上記実施形態の第４変形例に係る車両用灯具を示す、図１と同様の図
【図１４】上記第４変形例の作用を示す、図５と同様の図
【図１５】上記実施形態の第５変形例に係る車両用灯具を示す、図１と同様の図
【発明を実施するための形態】
【００２２】
以下、図面を用いて、本願発明の実施の形態について説明する。
【００２３】
図１は、本願発明の一実施形態に係る車両用灯具１０を示す側断面図である。また、図２は、図１のII方向矢視図であり、図３は、図１のIII 部詳細図であり、図４は、車両用灯具１０の主要構成要素を示す斜視図である。
【００２４】
これらの図に示すように、本実施形態に係る車両用灯具１０は、ロービーム照射とハイビーム照射とを選択的に行い得るように構成されたヘッドランプであって、プロジェクタ型の灯具ユニットとして構成されている。
【００２５】
すなわち、この車両用灯具１０は、車両前後方向に延びる光軸Ａｘを有する投影レンズ１２と、この投影レンズ１２の後側焦点Ｆよりも後方側に配置された光源としての発光素子１４と、この発光素子１４を上方側から覆うように配置され、該発光素子１４からの光を投影レンズ１２へ向けて反射させるリフレクタ１６とを備えた構成となっている。
【００２６】
さらに、この車両用灯具１０は、ロービーム用配光パターンを形成するために投影レンズ１２へ向かう発光素子１４からの光の一部を遮光するシェード２０と、ロービーム用配光パターンに対してハイビーム用の付加配光パターンを付加的に形成するために投影レンズ１２に光を入射させる複数の発光ユニット３０とを備えた構成となっている。
【００２７】
なお、この車両用灯具１０は、その光軸調整が完了した状態では、光軸Ａｘが車両前後方向に対して僅かに下向きになるように構成されている。
【００２８】
以下、車両用灯具１０の具体的な構成について説明する。
【００２９】
投影レンズ１２は、その前面が凸面でその後面が平面の平凸非球面レンズであって、その後側焦点Ｆを含む焦点面である後側焦点面上に形成される光源像を、反転像として灯具前方の仮想鉛直スクリーン上に投影するようになっている。
【００３０】
この投影レンズ１２は、その外周フランジ部においてレンズホルダ１８に支持されている。そして、このレンズホルダ１８はベース部材２２に支持されている。
【００３１】
発光素子１４は白色発光ダイオードであって、横長矩形状の発光面を有している。そして、この発光素子１４は、その発光面を光軸Ａｘを含む水平面上に位置させた状態で上向きに配置されている。この発光素子１４はベース部材２２に支持されている。
【００３２】
リフレクタ１６の反射面１６ａは、光軸Ａｘと略同軸の長軸を有するとともに発光素子１４の発光中心を第１焦点とする略楕円面状の曲面で構成されており、その離心率が鉛直断面から水平断面へ向けて徐々に大きくなるように設定されている。そしてこれにより、リフレクタ１６は、発光素子１４からの光を鉛直断面内においては後側焦点Ｆのやや前方に位置する点に収束させるとともに水平断面内においてはその収束位置をかなり前方へ移動させるようになっている。このリフレクタ１６はベース部材２２に支持されている。
【００３３】
シェード２０は、リフレクタ１６で反射した発光素子１４からの光の一部を遮光した上で、この遮光した光を上向きに反射させる上向き反射面２０ａを有している。そして、この上向き反射面２０ａで反射した光を投影レンズ１２に入射させて、これを下向き光として投影レンズ１２から出射させるようになっている。
【００３４】
このシェード２０は、ベース部材２２と一体で形成されており、その上向き反射面２０ａはベース部材２２の上面にアルミニウム蒸着等による鏡面処理を施すことにより形成されている。
【００３５】
この上向き反射面２０ａは、光軸Ａｘよりも左側（灯具正面視では右側）に位置する左側領域が光軸Ａｘを含む水平面で構成されており、光軸Ａｘよりも右側に位置する右側領域が、短い斜面を介して左側領域よりも一段低い水平面で構成されている。この上向き反射面２０ａの前端縁２０ａ１は、後側焦点Ｆから左右両側へ向けて延びるように形成されている。
【００３６】
複数の発光ユニット３０は、投影レンズ１２の後側焦点Ｆよりも下方において左右方向に並列に配置されており、図示しない点灯制御回路によって個別に点灯し得るように構成されている。本実施形態においては、いずれも同様の構成を有する１１個の発光ユニット３０が、光軸Ａｘの真下の位置を中心にして左右方向に等間隔で配置された構成となっている。
【００３７】
図３に詳細に示すように、各発光ユニット３０は、発光素子３２と、この発光素子３２からの出射光を投影レンズ１２へ向けて反射させるリフレクタ３４とを備えている。
【００３８】
リフレクタ３４は、シェード２０の上向き反射面２０ａの前端縁２０ａ１から（すなわち投影レンズ１２の後側焦点面の近傍から）斜め下後方へ延びる第１反射面３４ａと、発光素子３２からの出射光を第１反射面３４ａへ向けて反射させる第２反射面３４ｂとを備えている。
【００３９】
このリフレクタ３４は、その一部がベース部材２２と一体で形成されている。すなわち、第１反射面３４ａは、ベース部材２２の前端面の一部として構成されており、第２反射面３４ｂは、ベース部材２２に取り付けられたカバー部材３６の一部として構成されている。
【００４０】
発光素子３２は白色発光ダイオードであって、上向き反射面２０ａの前端縁２０ａ１から斜め下後方へ離れた位置において第１反射面３４ａに支持されている。すなわち、この発光素子３２は、その発光面を第１反射面３４ａと直交する斜め下前方へ向けるようにして配置されている。
【００４１】
第２反射面３４ｂは、発光素子３２を下方側から覆うようにして配置されている。この第２反射面３４ｂは、略楕円面状の曲面で構成されており、発光素子３２からの光を第１反射面３４ａの前端縁近傍領域へ向けて反射させるようになっている。
【００４２】
カバー部材３６は、１１個の発光ユニット３０に跨るようにして横長に形成されている。このカバー部材３６には、その左右両端位置および各第２反射面３４ｂ相互間の境界位置に、光軸Ａｘと平行な鉛直方向に延びる隔壁部３６ａが形成されている。その際、これら各隔壁部３６ａの側面は反射面として構成されている。
【００４３】
これら各隔壁部３６ａは、第１反射面３４ａまで延びるように形成されており、これにより第２反射面３４ｂを各発光ユニット３０毎に仕切るようになっている。その際、これら各第２反射面３４ｂおよび各隔壁部３６ａの前端位置は、投影レンズ１２の後側焦点面よりも僅かに後方に位置している。
【００４４】
各発光ユニット３０において発光素子３２から出射した光の一部は、第２反射面３４ｂで反射した後、第１反射面３４ａで再度反射して投影レンズ１２に入射し、他の一部は直接第１反射面３４ａで反射して投影レンズ１２に入射し、さらに他の一部は直射光として投影レンズ１２に入射する。その際、いずれの場合においても、その一部は左右両側の隔壁部３６ａの側面で反射してから投影レンズ１２に入射する。
【００４５】
すなわち、各発光ユニット３０から投影レンズ１２へ向かう光は、カバー部材３６の前端縁の位置において、第１および第２反射面３４ａ、３４ｂと左右１対の隔壁部３６ａとで囲まれた開口形状に出射範囲が絞られてから、投影レンズ１２の後側焦点面を通過する。したがって、互いに隣接する発光ユニット３０相互間において、投影レンズ１２の後側焦点面を通過する光線束の範囲が僅かに重複するものとなる。
【００４６】
図５は、車両用灯具１０から前方へ向けて照射される光により、車両前方２５ｍの位置に配置された仮想鉛直スクリーン上に形成される配光パターンを透視的に示す図であって、同図（ａ）はハイビーム用配光パターンＰＨ１、同図（ｂ）は中間的配光パターンＰＭ１を示す図である。
【００４７】
同図（ａ）に示すハイビーム用配光パターンＰＨ１は、ロービーム用配光パターンＰＬ１とハイビーム用の付加配光パターンＰＡとの合成配光パターンとして形成されている。
【００４８】
ロービーム用配光パターンＰＬ１は、左配光のロービーム用配光パターンであって、その上端縁に左右段違いのカットオフラインＣＬ１、ＣＬ２を有している。このカットオフラインＣＬ１、ＣＬ２は、灯具正面方向の消点であるＨ−Ｖを鉛直方向に通るＶ−Ｖ線を境にして左右段違いで水平方向に延びており、Ｖ−Ｖ線よりも右側の対向車線側部分が下段カットオフラインＣＬ１として形成されるとともに、Ｖ−Ｖ線よりも左側の自車線側部分が、この下段カットオフラインＣＬ１から傾斜部を介して段上がりになった上段カットオフラインＣＬ２として形成されている。
【００４９】
このロービーム用配光パターンＰＬ１は、リフレクタ１６で反射した発光素子１４からの光によって投影レンズ１２の後側焦点面上に形成された発光素子１４の光源像を、投影レンズ１２により上記仮想鉛直スクリーン上に反転投影像として投影することにより形成され、そのカットオフラインＣＬ１、ＣＬ２は、シェード２０の上向き反射面２０ａの前端縁２０ａ１の反転投影像として形成されるようになっている。
【００５０】
このロービーム用配光パターンＰＬ１において、下段カットオフラインＣＬ１とＶ−Ｖ線との交点であるエルボ点Ｅは、Ｈ−Ｖの０．５〜０．６°程度下方に位置している。
【００５１】
ハイビーム用配光パターンＰＨ１においては、付加配光パターンＰＡがカットオフラインＣＬ１、ＣＬ２から上方に拡がるようにして横長の配光パターンとして追加形成されることにより、車両前方走行路を幅広く照射するようになっている。
【００５２】
付加配光パターンＰＡは、１１個の配光パターンＰａの合成配光パターンとして形成されている。
【００５３】
これら各配光パターンＰａは、各発光ユニット３０からの光によって投影レンズ１２の後側焦点面上に形成された各発光素子３２の光源像の反転投影像として形成される配光パターンである。
【００５４】
その際、これら各配光パターンＰａは、上下方向にやや長い略矩形状を有している。これは、各発光ユニット３０からの光線束の出射範囲が第１および第２反射面３４ａ、３４ｂと左右１対の隔壁部３６ａとで囲まれた開口形状に絞られていることに対応するものである。
【００５５】
また、これら各配光パターンＰａは、互いに隣接する配光パターンＰａ相互間で僅かに重複するようにして形成されている。これは、互いに隣接する発光ユニット３０相互間で、投影レンズ１２の後側焦点面を通過する光線束の範囲が僅かに重複することによるものである。
【００５６】
さらに、これら各配光パターンＰａは、その下端縁の位置がカットオフラインＣＬ１、ＣＬ２の位置と一致している。これは、第１反射面３４ａが、シェード２０の上向き反射面２０ａの前端縁２０ａ１から斜め下後方へ延びるように形成されていることによるものである。
【００５７】
これら各配光パターンＰａを形成する光線束のうち、第２反射面３４ａで反射した発光素子３２からの光は、第１反射面３４ａの前端縁近傍領域で反射するので、各配光パターンＰａはその下端領域の光度が高い光度分布で形成される。このため、これらの合成配光パターンとして形成される付加配光パターンＰＡもカットオフラインＣＬ１、ＣＬ２に沿った領域が明るい配光パターンとして形成され、これによりハイビーム用配光パターンＰＨ１の形成により適したものとなっている。
【００５８】
同図（ｂ）に示す中間的配光パターンＰＭ１は、ハイビーム用配光パターンＰＨ１に対して、付加配光パターンＰＡの代わりに、その一部が欠けた付加配光パターンＰＡｍを有する配光パターンとなっている。
【００５９】
具体的には、この付加配光パターンＰＡｍは、１１個の配光パターンＰａのうち右から３番目と４番目の配光パターンＰａが欠落した配光パターンとなっている。この付加配光パターンＰＡｍは、１１個の発光ユニット３０のうち左から３番目と４番目の発光ユニット３０を消灯することによって形成される。
【００６０】
このような中間的配光パターンＰＭ１を形成することにより、車両用灯具１０からの照射光が対向車２に当たらないようにし、これにより対向車２のドライバにグレアを与えてしまわない範囲内でできるだけ車両前方走行路を幅広く照射するようになっている。
【００６１】
そして、対向車２の位置が変化するのに伴って、消灯の対象となる発光ユニット３０を順次切り換えることにより付加配光パターンＰＡｍの形状を変化させ、これにより対向車２のドライバにグレアを与えてしまわない範囲内でできるだけ車両前方走行路を幅広く照射する状態を維持するようになっている。
【００６２】
なお、対向車２の存在は、図示しない車載カメラ等によって検出するようになっている。そして、車両前方走行路に前走車が存在したり、その路肩部分に歩行者が存在するような場合にも、これを検出して一部の配光パターンＰａを欠落させることによりグレアを与えてしまわないようにしている。
【００６３】
次に本実施形態の作用効果について説明する。
【００６４】
本実施形態に係る車両用灯具１０は、ロービーム照射とハイビーム照射とを選択的に行うプロジェクタ型の灯具として構成されており、その投影レンズ１２に１１個の発光ユニット３０からの光を入射させることによりハイビーム用の付加配光パターンＰＡを形成する構成となっているが、その際、１１個の発光ユニット３０は、投影レンズ１２の後側焦点Ｆよりも下方において左右方向に並列に配置された状態で個別に点灯し得る構成となっているので、次のような作用効果を得ることができる。
【００６５】
すなわち、１１個の発光ユニット３０を同時点灯させて付加配光パターンＰＡを形成することにより、ハイビーム用配光パターンＰＨ１を形成することができる。また、１１個の発光ユニット３０のうちの一部を選択的に点灯させることにより、付加配光パターンＰＡの一部が欠けた付加配光パターンＰＡｍを形成することができ、これによりロービーム用配光パターンＰＬ１とハイビーム用配光パターンＰＨ１との中間に位置する形状の中間的配光パターンＰＭ１を形成することができる。
【００６６】
しかもこれを、単一の投影レンズ１２を用いたプロジェクタ型の光学系により実現することができる。
【００６７】
このように本実施形態によれば、ロービーム照射とハイビーム照射とを選択的に行い得るように構成された車両用灯具１０において、コンパクトな構成によりハイビーム用の付加配光パターンＰＡ、ＰＡｍを複数種類の照射パターンで形成することができる。
【００６８】
その際、本実施形態においては、各発光ユニット３０が、発光素子３２とその出射光を投影レンズ１２へ向けて反射させるリフレクタ３４とを備えた構成となっているので、各発光ユニット３０の構成を簡素なものとすることができる。
【００６９】
しかも、リフレクタ３４は、投影レンズ１２の後側焦点面の近傍から斜め下後方へ延びる第１反射面３４ａと、発光素子３２からの出射光を第１反射面３４ａへ向けて反射させる第２反射面３４ｂとを備えた構成となっているので、発光素子３２からの出射光を効率良く投影レンズ１２に入射させることができる。
【００７０】
その際、第１反射面３４ａは、その前端縁の位置をシェード２０の上向き反射面２０ａの前端縁２０ａ１の位置と一致させるようにして形成されているので、ロービーム用配光パターンＰＬ１と付加配光パターンＰＡとがカットオフラインＣＬ１、ＣＬ２の部分において途切れてしまうのを未然に防止することができる。
【００７１】
さらに本実施形態においては、各発光ユニット３０が左右両側の隔壁部３６ａで仕切られており、これにより互いに隣接する発光ユニット３０相互間で投影レンズ１２の後側焦点面を通過する光線束の範囲を僅かに重複させるようになっているので、付加配光パターンＰＡを構成している１１個の配光パターンＰａも互いに僅かに重複するように形成することができる。そしてこれにより、一部の発光ユニット３０を消灯して一部の配光パターンＰａを欠落させたときの付加配光パターンＰＡｍを、その欠落部分の左右両側の境界線が比較的明瞭な配光パターンとして形成することができる。
【００７２】
上記実施形態においては、１１個の発光ユニット３０を備えているものとして説明したが、これ以外の個数の発光ユニット３０を備えた構成とすることも可能である。
【００７３】
次に、上記実施形態の変形例について説明する。
【００７４】
まず、上記実施形態の第１変形例について説明する。
【００７５】
図６は、本変形例に係る車両用灯具１１０を示す、図１と同様の図である。
【００７６】
同図に示すように、この車両用灯具１１０の基本的な構成は上記実施形態の車両用灯具１０と同様であるが、投影レンズ１１２の構成が上記実施形態の場合と異なっている。
【００７７】
すなわち、本変形例の投影レンズ１１２は、その上部領域１１２Ａの後側焦点Ｆａが該上部領域１１２Ａ以外の一般領域の後側焦点Ｆよりも下方に位置するように形成されている。
【００７８】
具体的には、この投影レンズ１１２は、その前面１１２ａが、光軸Ａｘよりも上方側の領域において、図中２点鎖線で示す上記実施形態の投影レンズ１２の前面よりも後方側に大きく湾曲するようにして形成されている。このため、一般領域の後側焦点Ｆが光軸Ａｘ上に位置しているのに対し、上部領域１１２Ａの後側焦点Ｆａは後側焦点Ｆに対して下方に変位している。
【００７９】
これにより本変形例においては、シェード２０の上向き反射面２０ａで反射して投影レンズ１１２の上部領域１１２Ａに入射したリフレクタ１６からの反射光および各発光ユニット３０から出射して投影レンズ１１２の上部領域１１２Ａに入射した光を、上記実施形態の場合よりもやや下向きの光として投影レンズ１１２から前方へ向けて出射させるようになっている。
【００８０】
図７は、車両用灯具１１０から前方へ向けて照射される光により、上記仮想鉛直スクリーン上に形成される配光パターンを透視的に示す図であって、同図（ａ）はハイビーム用配光パターンＰＨ２、同図（ｂ）は中間的配光パターンＰＭ２を示す図である。
【００８１】
同図（ａ）に示すハイビーム用配光パターンＰＨ２は、ロービーム用配光パターンＰＬ２とハイビーム用の付加配光パターンＰＢとの合成配光パターンとして形成されている。
【００８２】
付加配光パターンＰＢは、１１個の配光パターンＰｂの合成配光パターンとして形成されている。
【００８３】
これら各配光パターンＰｂは、各発光ユニット３０からの光によって投影レンズ１２の後側焦点面上に形成された発光素子３２の光源像の反転投影像として形成される配光パターンである。
【００８４】
その際、これら各配光パターンＰｂは、上記実施形態の各配光パターンＰａと同様の形状および配置で形成されるが、その下端縁はカットオフラインＣＬ１、ＣＬ２よりもやや下方の位置まで延びている。これは、投影レンズ１１２の上部領域１１２Ａの後側焦点Ｆａが一般領域の後側焦点Ｆに対して下方に変位していることによるものである。
【００８５】
なお、ロービーム用配光パターンＰＬ２は、上記実施形態のロービーム用配光パターンＰＬ１に対して多少光度分布が異なったものとなるが、全体的な形状はロービーム用配光パターンＰＬ１の場合と同様である。
【００８６】
同図（ｂ）に示す中間的配光パターンＰＭ２は、ハイビーム用配光パターンＰＨ２に対して、付加配光パターンＰＢの代わりに、その一部が欠けた付加配光パターンＰＢｍを有する配光パターンとなっている。
【００８７】
本変形例の構成を採用した場合においても、コンパクトな構成によりハイビーム用の付加配光パターンＰＢ、ＰＢｍを複数種類の照射パターンで形成することができる。
【００８８】
また、本変形例の構成を採用することにより、ハイビーム用配光パターンＰＨ２において、ロービーム用配光パターンＰＬ２と付加配光パターンＰＢとをカットオフラインＣＬ１、ＣＬ２の部分において部分的に重複させることができ、これによりロービーム用配光パターンＰＬ２と付加配光パターンＰＢとの連続性を高めることができる。
【００８９】
この点、中間的配光パターンＰＭ２に関しても同様であり、ロービーム用配光パターンＰＬ２と付加配光パターンＰＢｍとの連続性を高めることができる。
【００９０】
なお、この第１変形例においては、投影レンズ１１２において光軸Ａｘよりも上方に位置する領域を上部領域１１２Ａであるものとして説明したが、上部領域１１２Ａの下端縁の位置は必ずしも光軸Ａｘと一致していなくてもよい。
【００９１】
次に、上記実施形態の第２変形例について説明する。
【００９２】
図８は、本変形例に係る車両用灯具２１０の要部を示す、図３と同様の図である。
【００９３】
同図に示すように、この車両用灯具２１０の基本的な構成は上記実施形態の車両用灯具１０と同様であるが、各発光ユニット２３０の構成が上記実施形態の場合と異なっており、これに伴ってシェード２２０およびベース部材２２２の構成も一部異なっている。
【００９４】
すなわち、本変形例においても、各発光ユニット２３０は、発光素子２３２と、この発光素子２３２からの出射光を投影レンズ１２へ向けて反射させるリフレクタ２３４とを備えている。
【００９５】
リフレクタ２３４は、シェード２２０の上向き反射面２２０ａの前端縁２２０ａ１から（すなわち投影レンズ１２の後側焦点面の近傍から）斜め下後方へ延びる第１反射面２３４ａと、発光素子２３２からの出射光を第１反射面２３４ａへ向けて反射させる第２反射面２３４ｂとを備えている。
【００９６】
第１反射面２３４ａは、ベース部材２２２の一部として構成されている。第２反射面２３４ｂは、ベース部材２２２に取り付けられたカバー部材２３６の一部として構成されている。
【００９７】
発光素子２３２は白色発光ダイオードであって、上向き反射面２２０ａの前端縁２２０ａ１から斜め下後方へ離れた位置において第１反射面３４ａと直交する平面に支持されている。すなわち、この発光素子２３２は、その発光面を第１反射面２３４ａと平行な斜め上前方へ向けるようにして配置されている。
【００９８】
第２反射面２３４ｂは、発光素子２３２を下方側から覆うようにして配置されている。この第２反射面２３４ｂは、平面状に形成されており、発光素子２３２からの光を第１反射面２３４ａへ向けて反射させるようになっている。
【００９９】
カバー部材２３６は、１１個の発光ユニット２３０に跨るようにして横長に形成されている。このカバー部材２３６には、その左右両端位置および各第２反射面２３４ｂ相互間の境界位置に、光軸Ａｘと平行な鉛直方向に延びる隔壁部２３６ａが形成されている。その際、これら隔壁部２３６ａの側面は反射面として形成されている。
【０１００】
これら各隔壁部２３６ａは、第１反射面２３４ａまで延びるように形成されており、これにより第２反射面２３４ｂを各発光ユニット２３０毎に仕切るようになっている。その際、各第２反射面２３４ｂおよび各隔壁部２３６ａの前端位置は、投影レンズ１２の後側焦点面よりも僅かに後方に位置している。
【０１０１】
各発光ユニット２３０において発光素子２３２から出射した光の一部は、第２反射面２３４ｂで反射した後、第１反射面２３４ａで再度反射して投影レンズ１２に入射し、他の一部は直接第１反射面２３４ａで反射して投影レンズ１２に入射し、さらに他の一部は直射光として投影レンズ１２に入射する。その際、いずれの場合においても、その一部は左右両側の隔壁部２３６ａの側面で反射してから投影レンズ１２に入射する。
【０１０２】
このため、各発光ユニット２３０から投影レンズ１２へ向かう光は、カバー部材２３６の前端縁の位置において、第１および第２反射面２３４ａ、２３４ｂと左右１対の隔壁部２３６ａとで囲まれた開口形状に出射範囲が絞られてから、投影レンズ１２の後側焦点面を通過する。したがって、互いに隣接する発光ユニット２３０相互間において、投影レンズ１２の後側焦点面を通過する光線束の範囲が僅かに重複するものとなる。
【０１０３】
図９は、車両用灯具２１０から前方へ向けて照射される光により、上記仮想鉛直スクリーン上に形成される配光パターンを透視的に示す図であって、同図（ａ）はハイビーム用配光パターンＰＨ３、同図（ｂ）はロービーム用配光パターンＰＬ３を示す図である。
【０１０４】
同図（ａ）に示すハイビーム用配光パターンＰＨ３は、ロービーム用の基本配光パターンＰＬ０とハイビーム用の付加配光パターンＰＣとの合成配光パターンとして形成されている。
【０１０５】
基本配光パターンＰＬ０は、上記実施形態のロービーム用配光パターンＰＬ１と全く同様である。
【０１０６】
付加配光パターンＰＣは、１１個の配光パターンＰｃの合成配光パターンとして形成されている。
【０１０７】
これら各配光パターンＰｃは、各発光ユニット２３０からの光によって投影レンズ１２の後側焦点面上に形成された発光素子２３２の光源像の反転投影像として形成される配光パターンである。
【０１０８】
その際、これら各配光パターンＰｃは、上記実施形態の各配光パターンＰａと同様の形状および配置で形成されるが、その光度分布が異なったものとなる。
【０１０９】
すなわち、これら各配光パターンＰｃは、その中心部が最も明るく周縁部に向かって徐々に暗くなる光度分布で形成される。これは、第２反射面２３４ｂが平面状に形成されていることによるものである。
【０１１０】
同図（ｂ）に示すロービーム用配光パターンＰＬ３は、基本配光パターンＰＬ０に対して、車両前方走行路に設置された頭上標識ＯＨＳを照射するためのＯＨＳ照射用配光パターンＰＤが追加形成された配光パターンとなっている。
【０１１１】
ＯＨＳ照射用配光パターンＰＤは、１１個の発光ユニット２３０のうち、両側に位置する４個の発光ユニット２３０を消灯した上で、残りの７個の発光ユニット２３０を減光した状態で点灯することによって形成される７個の配光パターンＰｄの合成配光パターンとして形成されるようになっている。
【０１１２】
その際、各配光パターンＰｃは、その中心部が最も明るく周縁部に向かって徐々に暗くなる光度分布で形成されるので、これを減光によって全体的に暗くした配光パターンＰｄは、その外周縁領域が暗いものとなる。したがって、ＯＨＳ照射用配光パターンＰＤは、その中央領域が適度に明るくカットオフラインＣＬ１、ＣＬ２の近傍領域が暗い配光パターンとなり、頭上標識ＯＨＳの照射に適したものとなる。
【０１１３】
なお本変形例においても、同図（ａ）に示すハイビーム用配光パターンＰＨ３において、その付加配光パターンＰＣを構成する１１個の配光パターンＰｃのうちの一部を欠落させることにより、上記実施形態の中間的配光パターンＰＭ１と同様の中間的配光パターンを形成することができる。
【０１１４】
本変形例の構成を採用した場合においても、コンパクトな構成によりハイビーム用の付加配光パターンＰＣを複数種類の照射パターンで形成することができる。
【０１１５】
また、本変形例の構成を採用することにより、ロービーム用配光パターンＰＬ３として、ＯＨＳ照射用配光パターンＰＤを有する配光パターンを形成することができる。
【０１１６】
特に、本変形例のように複数の発光ユニット２３０が投影レンズ１２の後側焦点Ｆよりも下方において左右方向に並列に配置されている場合には、従来のようにシェード２０の前方にリフレクタ１６からの反射光を反射させてＯＨＳ照射用配光パターンＰＤを形成するための反射部材を配置することが困難となるため、本変形例の構成を採用することが効果的である。
【０１１７】
上記実施形態においても、ロービーム用配光パターンＰＬ１を形成する際に本変形例と同様の照射モードを採用することにより、ＯＨＳ照射用配光パターンＰＤと同様のＯＨＳ照射用配光パターンを形成することが可能である。
【０１１８】
次に、上記実施形態の第３変形例について説明する。
【０１１９】
図１０は、本変形例に係る車両用灯具３１０を示す、図１と同様の図であり、図１１は、そのXI部詳細図である。
【０１２０】
これらの図に示すように、この車両用灯具３１０の基本的な構成は上記第１変形例の車両用灯具１１０と同様であるが、発光素子１４およびリフレクタ１６の姿勢ならびにシェード３２０および各発光ユニット３３０の構成が上記第１変形例の場合と異なっており、これに伴ってベース部材３２２の形状が上記第１変形例の場合と異なっている。
【０１２１】
すなわち、本変形例のシェード３２０は、厚さ０．２〜０．５ｍｍ程度の薄板（例えば金属板）で構成されており、その上面が上向き反射面３２０ａとして構成されている。そして、このシェード３２０は、投影レンズ１１２の後側焦点面の近傍から斜め上後方へ向けて延びるように配置された状態でベース部材３２２に支持されている。その際、上向き反射面３２０ａの水平面からの傾斜角度は１０〜３０°程度の値に設定されており、その前端縁３２０ａ１の位置は上記第１変形例の場合と略同じ位置に設定されている。
【０１２２】
発光素子１４およびリフレクタ１６は、その構成自体は上記第１変形例の場合と同様であるが、シェード３２０の上向き反射面３２０ａの傾斜角度分だけ水平面から傾斜した状態で配置されている。ただし、この程度の傾斜角度では、リフレクタ１６で反射した発光素子１４からの光が投影レンズ１１２の後側焦点面を通過する領域は、上記第１変形例の場合と略同様である。
【０１２３】
本変形例においても、１１個の発光ユニット３３０が、投影レンズ１１２の後側焦点Ｆよりも下方において左右方向に等間隔で並列に配置されており、これらは個別に点灯し得るように構成されている。
【０１２４】
その際、これら発光ユニット３３０は、シェード３２０の前端部の下方に配置されている。そして、ベース部材３２２の前端上部には、これら発光ユニット３３０を支持するためのユニット支持部３２２ａが形成されている。
【０１２５】
各発光ユニット３３０は、発光素子３３２と、この発光素子３３２からの出射光を投影レンズ１１２へ向けて反射させるリフレクタ３３４とを備えている。
【０１２６】
発光素子３３２は白色発光ダイオードであって、その発光面を上向きに配置した状態でベース部材３２２に支持されている。
【０１２７】
リフレクタ３３４は、発光素子３３２をその後方から上方にかけて覆うように配置されており、ベース部材３２２に支持されている。
【０１２８】
このリフレクタ３３４は、発光素子３３２の発光中心を第１焦点とする回転楕円面状の反射面３３４ａを有している。そして、このリフレクタ３３４は、その反射面３３４ａにおいて発光素子３３２からの光を前方へ向けて反射させて、投影レンズ１１２の後側焦点面の前方において一旦収束させた後、投影レンズ１１２に入射させるようになっている。
【０１２９】
このリフレクタ３３４は、その上端縁がシェード３２０の前端部の下面近傍まで（すなわち光軸Ａｘよりも上方まで）延びるように形成されており、これにより反射面３３４ａをできるだけ広く確保するようになっている。
【０１３０】
１１個の発光ユニット３３０について、そのリフレクタ３３４は互いに一体的に形成されている。これら各リフレクタ３３４の左右両側には、光軸Ａｘと平行な鉛直方向に延びる仕切り壁３３６が配置されている。これら各仕切り壁３３６は、各リフレクタ３３４と一体的に形成されている。
【０１３１】
各仕切り壁３３６は、その上端縁がシェード３２０の前端部の下面近傍まで延びるように形成されており、その前端縁は投影レンズ１１２の後側焦点面よりも僅かに後方に位置している。これら各仕切り壁３３６は、そのリフレクタ３３４の反射面３３４ａ側の側面が反射面として構成されている。
【０１３２】
各発光ユニット３３０から投影レンズ１１２に入射する光は、リフレクタ３３４からの反射光だけでなく、発光素子３３２からの直射光およびその両側の仕切り壁３３６からの反射光が含まれる。
【０１３３】
図１２は、車両用灯具３１０から前方へ向けて照射される光により、上記仮想鉛直スクリーン上に形成される配光パターンを透視的に示す図であって、同図（ａ）はハイビーム用配光パターンＰＨ４、同図（ｂ）は中間的配光パターンＰＭ４を示す図である。
【０１３４】
同図（ａ）に示すハイビーム用配光パターンＰＨ４は、ロービーム用配光パターンＰＬ４とハイビーム用の付加配光パターンＰＥとの合成配光パターンとして形成されている。
【０１３５】
付加配光パターンＰＥは、１１個の配光パターンＰｅの合成配光パターンとして形成されている。
【０１３６】
これら各配光パターンＰｅは、各発光ユニット３３０からの光によって投影レンズ１１２の後側焦点面上に形成された発光素子３３２の光源像の反転投影像として形成される配光パターンである。
【０１３７】
その際、これら各配光パターンＰｅは、上記第１変形例の各配光パターンＰｂと略同様の形状および配置で形成されるが、全体的により明るい配光パターンとして形成されている。これは、各発光ユニット３３０においてリフレクタ３３４からの反射光および発光素子３３２からの直射光がより多く投影レンズ１１２に入射することによるものである。
【０１３８】
ロービーム用配光パターンＰＬ４は、上記第１変形例のロービーム用配光パターンＰＬ２と略同様の形状で形成されている。
【０１３９】
同図（ｂ）に示す中間的配光パターンＰＭ４は、ハイビーム用配光パターンＰＨ４に対して、付加配光パターンＰＥの代わりに、その一部が欠けた付加配光パターンＰＥｍを有する配光パターンとなっている。
【０１４０】
本変形例の構成を採用した場合においても、コンパクトな構成によりハイビーム用の付加配光パターンＰＥ、ＰＥｍを複数種類の照射パターンで形成することができる。
【０１４１】
特に本変形例のように、薄板で構成されたシェード３２０を、その上向き反射面３２０ａが投影レンズ１１２の後側焦点面の近傍から斜め上後方へ延びるように配置した上で、その前端部の下方に各発光ユニット３３０が配置された構成とすることにより、そのリフレクタ３３４の反射面３３４ａを広く確保することができ、これにより付加配光パターンＰＥ、ＰＥｍをより明るいものとすることができる。
【０１４２】
その際、本変形例においても、投影レンズ１１２の上部領域１１２Ａの後側焦点Ｆａが一般領域の後側焦点Ｆよりも下方に位置しているので、リフレクタ１６からの反射光と各発光ユニット３３０からの出射光とで投影レンズ１１２の後側焦点面を通過する領域に僅かな隙間（すなわちシェード３２０の板厚分の隙間）が生じてしまうにもかかわらず、ハイビーム用配光パターンＰＨ４において、ロービーム用配光パターンＰＬ４と付加配光パターンＰＥとを部分的に重複させることができ、その連続性を高めることができる。
【０１４３】
この点、中間的配光パターンＰＭ４に関しても同様であり、ロービーム用配光パターンＰＬ４と付加配光パターンＰＥｍとの連続性を高めることができる。
【０１４４】
本変形例において、各発光ユニット３３０のリフレクタ３３４は、その上端縁が光軸Ａｘよりも上方まで延びているが、該発光ユニット３３０からの出射光は、投影レンズ１１２の後側焦点面をその後側焦点Ｆよりも下方において通過している。したがって、各発光ユニット３３０は、投影レンズ１１２の後側焦点Ｆよりも下方に位置しているといえる。
【０１４５】
次に、上記実施形態の第４変形例について説明する。
【０１４６】
図１３は、本変形例に係る車両用灯具４１０を示す、図１と同様の図である。
【０１４７】
同図に示すように、この車両用灯具４１０の基本的な構成は上記実施形態の車両用灯具１０と同様であるが、シェード４２０および各発光ユニット４３０の構成が上記実施形態の場合と異なっており、これに伴ってベース部材４２２の形状が上記実施形態の場合と異なっている。
【０１４８】
すなわち、本変形例のシェード４２０は、厚さ０．２〜０．５ｍｍ程度の薄板（例えば金属板）で構成されており、その上面が上向き反射面４２０ａとして構成されるとともに、その下面が下向き反射面４２０ｂとして構成されている。
【０１４９】
このシェード４２０は、前後方向に水平に延びるように配置されており、その上向き反射面４２０ａの前端縁４２０ａ１の位置は上記実施形態の場合と同じ位置に設定されている。このシェード４２０はベース部材４２２に支持されている。
【０１５０】
本変形例においても、１１個の発光ユニット４３０が、投影レンズ１２の後側焦点Ｆよりも下方において左右方向に等間隔で並列に配置されており、これらは個別に点灯し得るように構成されている。
【０１５１】
各発光ユニット４３０は、発光素子４３２と、この発光素子４３２からの出射光を投影レンズ１２へ向けて偏向出射させるレンズ４３４とを備えている。
【０１５２】
各発光素子４３２は、シェード４２０の下方においてその発光面を灯具正面方向に対して斜め上向きにした状態で配置されており、ベース部材４２２に支持されている。
【０１５３】
各レンズ４３４は、左右方向に短く延びる凸シリンドリカルレンズであって、その前面は単一の凸状曲面で構成されており、その後面は段差付きの凸状曲面で構成されている。
【０１５４】
これら各レンズ４３４は、各発光素子４３２の斜め上前方において、その光軸を斜め上前方に向けるようにして配置されており、各発光素子４３２から出射光を投影レンズ１２へ向けて偏向透過させるようになっている。その際、これら各レンズ４３４は、その中央部においては各発光素子４３２から出射光を直接偏向制御して投影レンズ１２の後側焦点Ｆの下方近傍において一旦収束させるようになっており、一方、その上部および下部においては各発光素子４３２から出射光をその後面で全反射させてから偏向制御するようになっている。
【０１５５】
また、これら各レンズ４３４からの出射光の一部は、シェード４２０の下向き反射面４２０ｂで反射してから投影レンズ１２に入射するようになっている。
【０１５６】
１１個の発光ユニット４３０の各々について、そのレンズ４３４の左右両側には、光軸Ａｘと平行な鉛直方向に延びる仕切り壁４３６が配置されている。これら各仕切り壁４３６はベース部材４２２に支持されている。
【０１５７】
各仕切り壁４３６は、その前端縁が投影レンズ１２の後側焦点面よりも僅かに後方に位置している。これら各仕切り壁４３６は、そのレンズ４３４側の側面が反射面として構成されている。
【０１５８】
図１４は、車両用灯具４１０から前方へ向けて照射される光により、上記仮想鉛直スクリーン上に形成される配光パターンを透視的に示す図であって、同図（ａ）はハイビーム用配光パターンＰＨ５、同図（ｂ）は中間的配光パターンＰＭ５を示す図である。
【０１５９】
同図（ａ）に示すハイビーム用配光パターンＰＨ５は、ロービーム用配光パターンＰＬ５とハイビーム用の付加配光パターンＰＦとの合成配光パターンとして形成されている。
【０１６０】
ロービーム用配光パターンＰＬ５は、上記実施形態のロービーム用配光パターンＰＬ１と同様の形状で形成されている。
【０１６１】
付加配光パターンＰＦは、１１個の配光パターンＰｆの合成配光パターンとして形成されている。
【０１６２】
これら各配光パターンＰｆは、各発光ユニット４３０からの光によって投影レンズ１２の後側焦点面上に形成された発光素子４３２の光源像の反転投影像として形成される配光パターンである。
【０１６３】
その際、これら各配光パターンＰｆは、上記実施形態の各配光パターンＰａと略同様の形状および配置で形成されるが、その下端縁はカットオフラインＣＬ１、ＣＬ２から上方に僅かに離れた位置に形成されている。これは、リフレクタ１６からの反射光と各発光ユニット４３０からの出射光とで、投影レンズ１２の後側焦点面を通過する領域に僅かな隙間（すなわちシェード４２０の板厚分の隙間）が生じてしまうことによるものである。
【０１６４】
一方、これら各配光パターンＰｆは、カットオフラインＣＬ１、ＣＬ２の上方近傍が明るい配光パターンとして形成されている。これは、各発光ユニット４３０からの出射光の一部が、投影レンズ１２の後側焦点Ｆの下方近傍において収束することによるものである。
【０１６５】
同図（ｂ）に示す中間的配光パターンＰＭ５は、ハイビーム用配光パターンＰＨ５に対して、付加配光パターンＰＦの代わりに、その一部が欠けた付加配光パターンＰＦｍを有する配光パターンとなっている。
【０１６６】
本変形例の構成を採用した場合においても、上記実施形態と同様の作用効果を得ることができる。
【０１６７】
本変形例においては、各発光ユニット４３０からの出射光の一部が、投影レンズ１２の後側焦点Ｆの下方近傍において収束するようになっているので、各発光ユニット４３０からの出射光により形成される配光パターンを、ロービーム用配光パターンＰＬ５のカットオフラインＣＬ１、ＣＬ２の上方近傍が明るい配光パターンとして形成することができる。
【０１６８】
本変形例の構成において、投影レンズ１２の代わりに上記第１変形例の投影レンズ１１２を用いるようにすれば、ハイビーム用配光パターンＰＨ５において、ロービーム用配光パターンＰＬ５と付加配光パターンＰＦとを部分的に重複させることができ、その連続性を高めることができる。
【０１６９】
次に、上記実施形態の第５変形例について説明する。
【０１７０】
図１５は、本変形例に係る車両用灯具５１０を示す、図１と同様の図である。
【０１７１】
同図に示すように、この車両用灯具５１０の基本的な構成は上記実施形態の車両用灯具１０と同様であるが、シェード５２０および各発光ユニット５３０の構成が上記実施形態の場合と異なっており、これに伴ってベース部材５２２の形状が上記実施形態の場合と異なっている。
【０１７２】
すなわち、本変形例のシェード５２０は、厚さ０．２〜０．５ｍｍ程度の薄板（例えば金属板）で構成されており、その上面が上向き反射面５２０ａとして構成されている。
【０１７３】
このシェード５２０は、前後方向に水平に延びるように配置されており、その上向き反射面５２０ａの前端縁５２０ａ１の位置は上記実施形態の場合と同じ位置に設定されている。このシェード５２０はベース部材５２２に支持されている。
【０１７４】
本変形例においても、１１個の発光ユニット５３０が、投影レンズ１２の後側焦点Ｆよりも下方において左右方向に等間隔で並列に配置されており、これらは個別に点灯し得るように構成されている。
【０１７５】
各発光ユニット５３０は、発光素子５３２と、この発光素子５３２からの出射光を投影レンズ１２へ向けて偏向出射させるレンズ５３４と、このレンズ５３４の後方に配置されたリフレクタ５３８を備えている。
【０１７６】
各発光素子５３２は、シェード５２０の下方においてその発光面を灯具正面方向に対して斜め上向きにした状態で配置されており、ベース部材５２２に支持されている。
【０１７７】
各レンズ５３４は、左右方向に短く延びる凸シリンドリカルレンズであって、その前面および後面がいずれも単一の凸状曲面で構成されている。
【０１７８】
これら各レンズ５３４は、各発光素子５３２の斜め上前方において、その光軸を斜め上前方に向けるようにして配置されており、各発光素子５３２から出射光を投影レンズ１２へ向けて偏向透過させるようになっている。その際、これら各レンズ５３４は、各発光素子５３２から出射光を投影レンズ１２の後側焦点Ｆの下方近傍において一旦収束させるようになっている。
【０１７９】
各リフレクタ５３８は、各発光素子５３２からの出射光を前方へ向けて反射させてレンズ５３４に入射させるようになっている。これら各リフレクタ５３８はベース部材５２２に支持されている。
【０１８０】
１１個の発光ユニット５３０の各々について、そのレンズ５３４およびリフレクタ５３８の左右両側には、光軸Ａｘと平行な鉛直方向に延びる仕切り壁５３６が配置されている。これら各仕切り壁５３６はベース部材５２２に支持されている。
【０１８１】
各仕切り壁５３６は、その前端縁が投影レンズ１２の後側焦点面よりも僅かに後方に位置している。これら各仕切り壁５３６は、そのレンズ５３４およびリフレクタ５３８側の側面が反射面として構成されている。
【０１８２】
本変形例の構成を採用した場合においても、上記第４変形例の場合と同様のハイビーム用の付加配光パターンを形成することができる。
【０１８３】
本変形例の構成を採用することにより、各発光ユニット５３０からの出射光の多くを、投影レンズ１２の後側焦点Ｆの下方近傍において投影レンズ１２の後側焦点面を通過させることができるので、ロービーム用配光パターンのカットオフラインの上方近傍がより明るい配光パターンとして付加配光パターンを形成することができる。
【０１８４】
本変形例の構成において、投影レンズ１２の代わりに上記第１変形例の投影レンズ１１２を用いるようにすることも可能である。
【０１８５】
なお、上記実施形態およびその変形例において諸元として示した数値は一例にすぎず、これらを適宜異なる値に設定してもよいことはもちろんである。
【０１８６】
また、本願発明は、上記実施形態およびその変形例に記載された構成に限定されるものではなく、これ以外の種々の変更を加えた構成が採用可能である。
【符号の説明】
【０１８７】
２  対向車
１０、１１０、２１０、３１０、４１０、５１０  車両用灯具
１２、１１２  投影レンズ
１４  発光素子（光源）
１６  リフレクタ
１６ａ、３３４ａ  反射面
１８  レンズホルダ
２０、２２０、３２０、４２０、５２０  シェード
２０ａ、２２０ａ、３２０ａ、４２０ａ、５２０ａ  上向き反射面
２０ａ１、２２０ａ１、３２０ａ１、４２０ａ１、５２０ａ１  前端縁
２２、２２２、３２２、４２２、５２２  ベース部材
３０、２３０、３３０、４３０、５３０  発光ユニット
３２、２３２、３３２、４３２、５３２  発光素子
３４、２３４、３３４、５３８  リフレクタ
３４ａ、２３４ａ  第１反射面
３４ｂ、２３４ｂ  第２反射面
３６、２３６  カバー部材
３６ａ、２３６ａ  隔壁部
１１２Ａ  上部領域
１１２ａ  前面
３２２ａ  ユニット支持部
３３６、４３６、５３６  仕切り壁
４２０ｂ  下向き反射面
４３４、５３４  レンズ
Ａｘ  光軸
ＣＬ１  下段カットオフライン
ＣＬ２  上段カットオフライン
Ｅ  エルボ点
Ｆ、Ｆａ  後側焦点
ＯＨＳ  頭上標識
ＰＡ、ＰＡｍ、ＰＢ、ＰＢｍ、ＰＣ、ＰＥ、ＰＥｍ、ＰＦ、ＰＦｍ  付加配光パターン
Ｐａ、Ｐｂ、Ｐｃ、Ｐｄ、Ｐｅ、Ｐｆ  配光パターン
ＰＤ  ＯＨＳ照射用配光パターン
ＰＨ１、ＰＨ２、ＰＨ３、ＰＨ４、ＰＨ５  ハイビーム用配光パターン
ＰＬ０  基本配光パターン
ＰＬ１、ＰＬ２、ＰＬ３、ＰＬ４、ＰＬ５  ロービーム用配光パターン
ＰＭ１、ＰＭ２、ＰＭ４、ＰＭ５  中間的配光パターン
【図１】
2020057631.tif 000003
【図２】
2020057631.tif 000004
【図３】
2020057631.tif 000005
【図４】
2020057631.tif 000006
【図５】
2020057631.tif 000007
【図６】
2020057631.tif 000008
【図７】
2020057631.tif 000009
【図８】
2020057631.tif 000010
【図９】
2020057631.tif 000011
【図１０】
2020057631.tif 000012
【図１１】
2020057631.tif 000013
【図１２】
2020057631.tif 000014
【図１３】
2020057631.tif 000015
【図１４】
2020057631.tif 000016
【図１５】
2020057631.tif 000017